(57)【要約】【課題】  操作性が良好でかつ十分な強度を有する落とし棒装置を備える門扉を提供する。【解決手段】  門扉本体８と、門扉本体８に設けた落とし棒装置１０とを備え、落とし棒装置１０は、門扉本体８に取り付けた受け部１と、受け部１に挿通する断面円形の落とし棒２とを有し、落とし棒２は、受け部１に設けた被係合部５に係合する係合部４と、落とし棒２の回転を規制して係合部４と被係合部５のずれを防ぐ規制部３とを有し、被係合部５は弾性変形自在であるとともに落とし棒２の下降を防いでおり、落とし棒２を押し下げると被係合部５が弾性変形して係合部４との係合が解除される。【選択図】      図１
2010209650.tif 000002
【特許請求の範囲】
【請求項１】
門扉本体と、門扉本体に設けた落とし棒装置とを備え、落とし棒装置は、門扉本体に取り付けた受け部と、受け部に挿通する断面円形の落とし棒とを有し、落とし棒は、受け部に設けた被係合部に係合する係合部と、落とし棒の回転を規制して係合部と被係合部のずれを防ぐ規制部とを有し、被係合部は弾性変形自在であるとともに落とし棒の下降を防いでおり、落とし棒を押し下げると被係合部が弾性変形して係合部との係合が解除されることを特徴とする門扉。
【発明の詳細な説明】
【技術分野】
【０００１】
本発明は、門扉本体を設置面に固定するための落とし棒装置を備える門扉に関する。
【背景技術】
【０００２】
二本の門柱の間に門扉本体を取り付けた門扉において、門扉本体を設置面に固定するために落とし棒装置が用いられる。例えば、門扉本体が伸縮自在な伸縮門扉の場合、この門扉を閉鎖した際、門扉本体の両端はそれぞれの門柱に固定されるが、中間部は固定されず、見込方向に動いてしまう。そこで一般には、門扉本体に落とし棒装置を取り付け、門扉閉鎖時には落とし棒を下降させて門扉の設置面に形成した穴に嵌め込むことで、門扉本体が動くことを防いでいる。従来の落とし棒装置１００は、図４に示すように、門扉本体１１０に受け部１０１が設けてあり、受け部１０１が通し溝１０２を有し、摘み１０３を有する落とし棒１０４が挿通されており、通常時（門扉開閉時など、落とし棒装置を使用していない状態）には摘み１０３が受け部１０１に係止しており、使用時（門扉閉鎖時）には摘み１０３が通し溝１０２を通るように落とし棒１０４を回転させて、落とし棒１０４を下降させていた。しかし、このように回転と下降の二段階の動作を必要とし操作性が悪かった。そこで、特許文献１に示すように、落とし棒に係合部を設けてバネを係合させることで落とし棒の下降を防ぐ落とし棒装置が提案されている。使用時には、バネを弾性変形させて係合を解除することで、落とし棒を回転させることなく下降させることができる。
【先行技術文献】
【特許文献】
【０００３】
【特許文献１】特開２００５−１８８１１７号公報
【発明の概要】
【発明が解決しようとする課題】
【０００４】
しかしながら、特許文献１の発明の落とし棒装置は、平板状のスライダーと突出体とを接合したもので、屋外に設置される門扉の落とし棒装置に用いるには強度不足が懸念される。そして、強度面を考慮すると落とし棒は断面円形であることが望ましいが、その場合、回転により係合部とバネの向きがずれて係合が解除され、落とし棒が意図せず下降してしまうおそれがあるため、落とし棒が回転しないようにする必要がある。
【０００５】
本発明は、上記事情を鑑みたものであり、操作性が良好でかつ十分な強度を有する落とし棒装置を備える門扉を提供することを目的とする。
【課題を解決するための手段】
【０００６】
本発明は、門扉本体と、門扉本体に設けた落とし棒装置とを備え、落とし棒装置は、門扉本体に取り付けた受け部と、受け部に挿通する断面円形の落とし棒とを有し、落とし棒は、受け部に設けた被係合部に係合する係合部と、落とし棒の回転を規制して係合部と被係合部のずれを防ぐ規制部とを有し、被係合部は弾性変形自在であるとともに落とし棒の下降を防いでおり、落とし棒を押し下げると被係合部が弾性変形して係合部との係合が解除されることを特徴とする。
【発明の効果】
【０００７】
本発明によれば、通常時は係合部が被係合部に係合して落とし棒の下降が防がれ、使用時には被係合部を弾性変形させて係合を解除することで、一動作で落とし棒を下降させることができ、操作性が良好である。そして、落とし棒を断面円形としたので強度が高く、しかも規制部が落とし棒の回転を規制しており、係合部と被係合部の向きがずれることを防いでいるので、落とし棒が意図せず下降することがない。
【図面の簡単な説明】
【０００８】
【図１】落とし棒装置の断面図であり、（ａ）は通常時の縦断面図、（ｂ）は使用時の縦断面図、（ｃ）は（ａ）のＡ−Ａ線断面図である。
【図２】落とし棒装置の斜視図である。
【図３】門扉の全体図である。
【図４】従来の落とし棒装置の斜視図である。
【発明を実施するための形態】
【０００９】
以下、本発明の実施の形態を図面に基づいて説明する。この門扉は、図３に示すように、二本の門柱９の間に伸縮自在な門扉本体８を設けたもので、門柱９の間の開口部を開閉自在としてある。なお、左右方向とは図３における左右方向を示すものとする。
【００１０】
門扉本体８は、左右方向に並んだ複数のガイド格子８１を、パンタグラフ状に組んだリンク材８２で連結してある。この門扉本体８は、本来左右方向にのみ伸縮自在なものであるが、門扉閉鎖時において、門柱９に直接固定されない左右方向中間部のガイド格子８１が見込方向に動いてしまう。そこで、中間部のガイド格子８１の見付面に、落とし棒装置１０が取り付けてある。落とし棒装置１０は、図１及び図２に示すように、受け部１と、落とし棒２とを備える。
【００１１】
受け部１は、ガイド格子８１の見付面に固定した平板状の基盤部１１と、横断面略Ｕ字形の挿通部１２とを有しており、挿通部１２に落とし棒２が挿通されている。基盤部１１の下端にはガイド格子８１側へ突出する爪部１３が設けてあり、上部にはネジ孔１４が設けてあって、ガイド格子８１の見付面に形成した係合孔８３に爪部１３を係合し、ネジ孔１４にネジを挿入してネジ止めしてある。基盤部１１の内部には略く字形の板バネからなる被係合部５が設けてあり、被係合部５の頂部が基盤部１１に形成した窓１５から落とし棒２側へ突出している。
【００１２】
落とし棒２は、断面円形の管材からなり、受け部１側に突出する略円柱形の係合部４を有する。そして係合部４の下方には、筒状体３１を外挿してネジ止めしてあり、筒状体３１の左右両側からガイド格子８１の見付面に向かって規制部３が突出している。規制部３は、図１（ｃ）に示すように、受け部１を跨いでガイド格子８１の見付面に当接している。なお、係合部４が被係合部５の頂部に係合している状態において、受け部１の挿通部１２と筒状体３１とは当接しており、両者の側面は略面一となるように形成されている。また、落とし棒２の上端には摘み６が設けてある。摘み６は表面に凹凸が形成してあり、操作の際に把持しやすくなっている。
【００１３】
さらに、ガイド格子８１の見付面の受け部１より下方には、横断面略Ｃ字形で落とし棒２側に開口する台座７が設けてあり、落とし棒２が挿通している。また、伸縮門扉の設置面には、門扉閉鎖時の落とし棒２の位置に応じて嵌合穴Ｈが形成してあり、この嵌合穴Ｈに落とし棒２の下端を挿入することで、門扉本体８のガイド格子８１を固定できる。
【００１４】
このように構成した落とし棒装置１０は、落とし棒２が断面円形で強度が高く、通常時においては、係合部４が被係合部５の頂部に係合しており、落とし棒２が下降しない（図１（ａ）の状態）。この際、受け部１の挿通部１２と筒状体３１とが当接しており、両者の側面が略面一なので、意匠性が良好である。また、落とし棒２が回転してしまうと、係合部４と被係合部５の向きがずれて係合が解除されてしまうが、本発明においては規制部３がガイド格子８１の見付面に当接しているので、落とし棒２が回転しない。そして、使用時においては、摘み６を把持して落とし棒２を押し下げれば、係合部４が被係合部５の頂部を受け部１側に押し込むように弾性変形させて乗り越えるので（図１（ｂ）の状態）、一動作で落とし棒２を下降させることができ、操作性が良好である。
【００１５】
本発明は、上記の実施形態に限定されない。規制部は、常に門扉本体に当接しているものでなくても、落とし棒の回転を一定範囲に規制して係合部と被係合部のずれを防ぐことができるものであればよく、摘みに設けたものであってもよいし、落とし棒と一体に形成したものであってもよい。また、門扉本体ではなく受け部や台座に当接して落とし棒の回転を規制するものでもよい。さらに、係合部と被係合部について、凸状の係合部が凹状の被係合部に嵌るものや、凹状の係合部に凸状の被係合部が嵌るものでもよい。また、一つの門扉本体に複数の落とし棒装置を設けてもよい。
【符号の説明】
【００１６】
１  受け部
２  落とし棒
３  規制部
４  係合部
５  被係合部
８  門扉本体
１０  落とし棒装置
【図１】
2010209650.tif 000003
【図２】
2010209650.tif 000004
【図３】
2010209650.tif 000005
【図４】
2010209650.tif 000006